(57)【要約】【課題】電磁界強度を計測して電磁界の分布を特定するのに好適な技術を提供する。【解決手段】計測システム１は、計測デバイス１０と、スペクトラムアナライザ２０と、情報処理デバイス３０と、を備える。計測デバイス１０は、電磁界強度を計測する電磁界プローブ１１とカメラ１３とを一体に保持する。カメラ１３は、電磁界プローブ１１が電磁界強度を計測する計測対象物体１００を撮影する。スペクトラムアナライザ２０は、電磁界プローブ１１からの信号に基づく電磁界計測データを情報処理デバイス３０に入力する。情報処理デバイス３０は、カメラ１３による撮影画像データと、予め記憶する計測対象物体１００の広域撮影画像データとに基づき、広域撮影画像上の電磁界プローブ１１の位置を特定し、この位置座標と電磁界計測データとを関連付けて記憶する。そして、電磁界分布を表す画像を広域撮影画像上に重畳表示した画面を、表示ユニットに表示させる。【選択図】図１
2014095629.tif 000002
【特許請求の範囲】
【請求項１】
電磁界計測システムであって、
計測デバイス（１０）と、
情報処理デバイス（３０）と、
を備え、
前記計測デバイスは、
電磁界強度を計測する計測ユニット（１１）と、
前記計測ユニットが前記電磁界強度を計測する物体（１００）の各部位を撮影する撮影ユニット（１３）と、
を一体に保持するように構成され、
前記情報処理デバイスは、
前記計測ユニットによる前記電磁界強度の計測値を表す計測データ及び前記撮影ユニットによる前記物体の各部位の撮影画像を表す撮影画像データを取得する取得手段（３１，Ｓ１６０，Ｓ１７０，Ｓ３４０，Ｓ３５０，Ｓ５６０，Ｓ５７０）と、
前記取得手段が取得した前記撮影画像データに基づき、当該撮影画像データに対応する前記物体の撮影部位を特定する一方、前記撮影部位での電磁界強度を、前記取得手段が取得した前記計測データに基づき特定し、これらの特定結果に基づき、前記物体の周囲における電磁界の分布を表す画面を、表示デバイスに表示させる表示制御手段（３１，Ｓ１８０，Ｓ２００，Ｓ２１０，Ｓ３６０，Ｓ４００，Ｓ４１０，Ｓ５８０，Ｓ６００，Ｓ６１０）と、
を備えることを特徴とする電磁界計測システム。
【請求項２】
前記表示制御手段（３１，Ｓ５８０，Ｓ６００，Ｓ６１０）は、前記撮影ユニットによる複数の前記撮影画像を結合した結合画像を、前記取得した前記撮影画像データに基づき生成することによって、前記撮影画像データの夫々に対応する前記物体の撮影部位として、前記結合画像上の撮影部位を特定する一方、前記計測データに基づき、前記撮影部位での電磁界強度を特定し、前記画面として、前記特定した電磁界強度に基づく電磁界の分布を表す画像を前記結合画像上に重畳表示した画面を、前記表示デバイスに表示させること
を特徴とする請求項１記載の電磁界計測システム。
【請求項３】
前記情報処理デバイスは、前記電磁界強度の計測時に撮影される前記物体の各部位が少なくとも撮影された前記物体の広域撮影画像を表す広域撮影画像データを記憶する記憶手段（３３）を備え、
前記表示制御手段（３１，Ｓ１８０，Ｓ２００，Ｓ２１０，Ｓ３６０，Ｓ４００，Ｓ４１０）は、前記撮影画像データが表す撮影画像と前記広域撮影画像とを照合することによって、当該撮影画像データに対応する前記物体の撮影部位として前記広域撮影画像上の撮影部位を特定する一方、前記計測データに基づき、前記撮影部位での電磁界強度を特定し、前記画面として、前記特定した電磁界強度に基づく電磁界の分布を表す画像を前記広域撮影画像上に重畳表示した画面を、前記表示デバイスに表示させること
を特徴とする請求項１記載の電磁界計測システム。
【請求項４】
前記計測デバイスは、前記計測ユニット及び前記撮影ユニットに加えて、前記物体までの距離を計測する測距ユニット（１５）を一体に保持し、
前記表示制御手段（３１，Ｓ１５０，Ｓ１８０，Ｓ２００，Ｓ２１０，Ｓ５５０，Ｓ５８０，Ｓ６００，Ｓ６１０）は、前記測距ユニットによる前記距離の計測値に基づき、前記計測ユニットから前記物体までの距離が所定条件を満足するときに前記計測ユニットが計測した前記電磁界強度の計測値に基づく前記電磁界の分布を表す前記画面を、前記表示デバイスに表示させること
を特徴とする請求項１〜請求項３のいずれか一項記載の電磁界計測システム。
【請求項５】
前記情報処理デバイスは、
前記撮影画像データに基づき、前記物体までの距離を推定する推定手段（３１，Ｓ３７０）を備え、
前記表示制御手段（３１，Ｓ３６０，Ｓ３８０，Ｓ４００，Ｓ４１０）は、前記推定手段の推定結果に基づき、前記計測ユニットから前記物体までの距離の推定値が所定条件を満足するときに前記計測ユニットが計測した前記電磁界強度の計測値に基づく前記電磁界の分布を表す前記画面を、前記表示デバイスに表示させること
を特徴とする請求項１〜請求項３のいずれか一項記載の電磁界計測システム。
【請求項６】
前記表示制御手段は、前記電磁界強度の強弱を色調で表現した前記電磁界の分布を表す前記画面を、前記表示デバイスに表示させること
を特徴とする請求項１〜請求項５のいずれか一項記載の電磁界計測システム。
【請求項７】
前記表示制御手段は、前記電磁界強度が閾値以上の領域を強調表示した前記電磁界の分布を表す前記画面を、前記表示デバイスに表示させること
を特徴とする請求項１〜請求項５のいずれか一項記載の電磁界計測システム。
【請求項８】
前記表示制御手段（３１，Ｓ５８０，Ｓ６００，Ｓ６１０，Ｓ６２０）は、前記画面として、前記計測ユニットにより未だ電磁界強度が計測されていない前記物体の領域を示した画面を、前記表示デバイスに表示させること
を特徴とする請求項１〜請求項７のいずれか一項記載の電磁界計測システム。
【請求項９】
電磁界強度を計測する計測ユニット（１１）と、
前記計測ユニットが前記電磁界強度を計測する物体を撮影する撮影ユニット（１３）と、
を備え、前記計測ユニット及び前記撮影ユニットを一体に保持すること
を特徴とする計測デバイス。
【請求項１０】
前記物体までの距離を計測する測距ユニット（１５）
を更に備え、
前記計測ユニット及び前記撮影ユニットに加えて前記測距ユニットを一体に保持すること
を特徴とする請求項９記載の計測デバイス。
【発明の詳細な説明】
【技術分野】
【０００１】
本発明は、電磁界強度を計測するシステム及びデバイスに関する。
【背景技術】
【０００２】
従来、電気部品から発生する電磁界強度を計測し、この計測結果に基づく電磁界分布をユーザに向けて可視表示することで、電磁ノイズを可視表示するシステムが知られている。
【０００３】
更に、この種のシステムとしては、電磁界強度を計測する計測ユニットを含む空間を撮影するカメラを備えるものが知られている（例えば、特許文献１参照）。このシステムによれば、カメラによる撮影画像を解析することにより、計測ユニットの位置を特定する。そして、計測ユニットにより計測された電磁界強度に基づく電磁界の分布を、カメラによる撮影画像に重ねて表示する。
【先行技術文献】
【特許文献】
【０００４】
【特許文献１】国際公開第０９／０２８１８６号パンフレット
【発明の概要】
【発明が解決しようとする課題】
【０００５】
ところで、従来技術によれば、計測ユニットによる電磁界強度の計測位置を特定するために、遠方からカメラにより計測ユニットを撮影する。しかしながら、この手法では、電磁界強度を計測する対象が広い外部空間に露出している必要がある。
【０００６】
換言すると、従来技術によれば、外部空間に露出していない狭い空間に計測ユニットを配置して、この空間に配置された電気部品から発生する電磁界強度を計測する場合に、次のような問題が生じる。具体的には、カメラを用いて遠方から計測ユニットを撮影することができず、計測ユニットの位置を特定することができないといった問題が生じる。狭い空間に配置される電気部品としては、例えば、車両内に配置される車載機器や車両内に敷設されるワイヤーハーネス等を挙げることができる。
【０００７】
従って、従来技術によれば、狭い空間で電磁界強度を計測する場合、電磁界の分布を精度良く把握することが難しい。
本発明は、こうした問題に鑑みなされたものであり、狭い空間に配置された物体からの電磁界分布を特定するのに好適な技術を提供することを目的とする。
【課題を解決するための手段】
【０００８】
本発明の電磁界計測システムは、計測デバイスと、情報処理デバイスと、を備える。計測デバイスは、電磁界強度を計測する計測ユニットと、撮影ユニットとを備える。撮影ユニットは、計測ユニットが電磁界強度を計測する物体の各部位を撮影する。計測デバイスは、これら計測ユニット及び撮影ユニットを一体に保持する。
【０００９】
一方、情報処理デバイスは、取得手段及び表示制御手段を備える。取得手段は、計測ユニットによる電磁界強度の計測値を表す計測データ及び撮影ユニットによる物体の各部位の撮影画像を表す撮影画像データを取得する。
【００１０】
表示制御手段は、この取得手段が取得した撮影画像データに基づき、撮影画像データに対応する物体の撮影部位を特定する。更に、表示制御手段は、撮影部位での電磁界強度を、取得手段が取得した計測データに基づき特定する。そして、これらの特定結果に基づき、物体周辺の電磁界の分布を表す画面を、表示デバイスに表示させる。
【００１１】
この電磁界計測システムによれば、計測ユニットを撮影して計測ユニットによる電磁界強度の計測位置を特定するのではなく、計測ユニットと一体に保持された撮影ユニットによる撮影画像から、計測ユニットによる電磁界強度の計測位置に対応する物体の撮影部位を特定する。
【００１２】
従って、本発明によれば、計測ユニットを撮影して電磁界強度の計測位置を特定する従来技術のように、撮影ユニットを計測ユニットから離して配置しなくても、狭い空間内に配置された物体から発生する電磁界の分布を高精度に特定し、これを画面上に表示することができる。よって、本発明は、狭い空間に配置された物体からの電磁界の分布を特定するのに好適なシステムであると言える。
【００１３】
ところで、表示制御手段は、撮影ユニットによる複数の撮影画像を結合した結合画像を、取得した撮影画像データに基づき生成する構成にすることができる。即ち、表示制御手段は、結合画像の生成により、撮影画像データの夫々に対応する物体の撮影部位として、結合画像上の撮影部位を特定する構成にすることができる。
【００１４】
更に、表示制御手段は、取得した計測データに基づき、この撮影部位での電磁界強度を特定し、上記画面として、特定した電磁界強度に基づく電磁界の分布を表す画像を上記結合画像上に重畳表示した画面を、表示デバイスに表示させる構成にすることができる。
【００１５】
一方、情報処理デバイスは、電磁界強度の計測時に撮影される物体の各部位が少なくとも撮影された物体の広域撮影画像を表す広域撮影画像データを記憶する記憶手段を備えた構成にされてもよい。
【００１６】
この場合、表示制御手段は、撮影画像データが表す撮影画像と広域撮影画像とを照合することによって、この撮影画像データに対応する物体の撮影部位として広域撮影画像上の撮影部位を特定する構成にすることができる。更に、表示制御手段は、上記計測データに基づき、この撮影部位での電磁界強度を特定し、上記画面として、特定した電磁界強度に基づく電磁界の分布を表す画像を広域撮影画像上に重畳表示した画面を、表示デバイスに表示させる構成にすることができる。
【００１７】
この電磁界計測システムによれば、電磁界の分布をユーザが容易に把握可能な画面を表示デバイスに表示させることができる。
また、計測ユニットによる電磁界強度の計測値は、物体からの距離に応じて変化する。このため、正確な電磁界の分布を把握するためには、電磁界強度の計測時における計測ユニットの物体からの距離のばらつきを抑えるのが好ましい。
【００１８】
従って、計測デバイスには、物体までの距離を計測する測距ユニットを設けるとよい。即ち、計測デバイスは、計測ユニット及び撮影ユニットに加えて、測距ユニットを一体に保持する構成にされるとよい。
【００１９】
更に、このような計測デバイスの構成に合わせて、表示制御手段は、測距ユニットによる距離の計測値に基づき、計測ユニットから物体までの距離が所定条件を満足するときに計測ユニットが計測した電磁界強度の計測値に基づく電磁界の分布を表す画面を、表示デバイスに表示させる構成にすることができる。このようなシステム構成によれば、電磁界の分布を表す画面として、一層適切な画面を表示デバイスに表示させることができる。
【００２０】
この他、情報処理デバイスは、撮影画像データに基づき、物体までの距離を推定する推定手段を備えた構成にされてもよい。そして、表示制御手段は、計測ユニットから物体までの距離の推定値が所定条件を満足するときに計測ユニットが計測した電磁界強度の計測値に基づく電磁界の分布を表す画面を、表示デバイスに表示させる構成にされてもよい。このようなシステム構成によれば、測距ユニットなしで、電磁界の分布を表す画面として、一層適切な画面を表示デバイスに表示させることができる。
【図面の簡単な説明】
【００２１】
【図１】計測システム１における電磁界強度の計測態様を表す図である。
【図２】計測システム１の電気的構成を表すブロック図である。
【図３】メインユニット３１が実行する計測表示処理を表すフローチャートである。
【図４】表示ユニット３９に表示される画面の一例を表す図である。
【図５】電磁界プローブ１１のスイープ態様の一例を表す図である。
【図６】電磁界プローブ１１のスイープ態様の一例を表す図である。
【図７】第二実施例の計測表示処理を表すフローチャートである。
【図８】第三実施例の計測表示処理を表すフローチャートである。
【図９】第三実施例にて表示ユニット３９に表示される画面の一例を表す図である。
【発明を実施するための形態】
【００２２】
以下に本発明の実施例について、図面と共に説明する。
［第一実施例］
本実施例の計測システム１は、図１及び図２に示すように、計測デバイス１０と、スペクトラムアナライザ２０と、情報処理デバイス３０と、を備えた構成にされる。但し、図２で示す破線は、後述する第三実施例の構成を示すものである。本実施例の計測デバイス１０は、計測対象物体１００から発せられる電磁界強度を計測するものであり、スペクトラムアナライザ２０及び情報処理デバイス３０とは信号線ＬＮ１〜ＬＮ４を介して接続される。
【００２３】
この計測デバイス１０は、図１に示すように、アームＡＲに接続されており、ユーザによるアームＡＲの操作によって、計測対象物体１００上でスイープされる。これにより、計測デバイス１０は、計測対象物体１００の各部位の近傍に配置されて、この地点での電磁界強度を計測する。但し、計測システム１は、ユーザが計測デバイス１０を手で持ってスイープし、これにより計測デバイス１０を計測対象物体１００の各部位近傍に配置する使用形態で、計測対象物体１００の各部位近傍の電磁界強度を計測する構成にされてもよい。
【００２４】
具体的に、この計測デバイス１０は、電磁界プローブ１１、カメラ１３、及び、距離センサ１５を備え、これらを一体化して構成される。即ち、計測デバイス１０は、電磁界プローブ１１、カメラ１３、及び、距離センサ１５を所定の位置関係で一体に保持した構成にされる。
【００２５】
図１には、アームＡＲに接続された筐体１０Ａ内に電磁界プローブ１１、カメラ１３、及び、距離センサ１５を備える計測デバイス１０の一例を示す。別例として、計測デバイス１０は、アームＡＲの先に取り付けられたクリップ等の固定具（図示せず）により、電磁界プローブ１１、カメラ１３及び距離センサ１５が所定の位置関係で一体に保持された構成にされてもよい。
【００２６】
この計測デバイス１０が備える電磁界プローブ１１は、周知のように、電磁界強度を計測する計測ユニットとして構成される。また、カメラ１３は、電磁界プローブ１１前方を撮影可能に配置される。図１には、カメラ１３による撮影領域の例を、一点鎖線で示す。計測デバイス１０は、このカメラ１３により、電磁界プローブ１１が電磁界強度を計測する前方物体（計測対象物体１００の各部位）を撮影する。
【００２７】
この他、距離センサ１５は、カメラ１３が撮影する計測対象物体１００までの距離を計測するものである。距離センサ１５としては、レーザ光の発射及び受光により、反射点までの距離を計測するものが知られている。
【００２８】
計測デバイス１０が備えるこれら電磁界プローブ１１、カメラ１３及び距離センサ１５は、互いの位置関係を保ったまま、計測デバイス１０の移動に伴って同方向に同量移動し、計測対象物体１００の各部位近傍に配置される。
【００２９】
尚、本実施例では説明を簡単にするために、光学部品及び撮像回路を含むカメラ１３が計測デバイス１０に搭載されている例を説明するが、計測デバイス１０には、カメラ１３の構成要素の内、光学部品のみを設けてもよい。即ち、この光学部品に繋がる信号線ＬＮ３として光ファイバーケーブルを配線し、光ファイバーケーブルからの光信号を受ける撮像回路については、情報処理デバイス３０の後述する入力ユニット３５に設けてもよい。
【００３０】
同様に、本実施例では説明を簡単にするために、光学部品及び測距回路を含む距離センサ１５が計測デバイス１０に搭載されている例を説明するが、計測デバイス１０には、距離センサ１５の構成要素の内、光学部品のみを設けてもよい。即ち、この光学部品に繋がる信号線ＬＮ４として光ファイバーケーブルを配線し、光ファイバーケーブルに対してレーザ光を入力する一方で反射光を受光する測距回路を情報処理デバイス３０の後述する入力ユニット３５に設けるように、計測システム１は構成されてもよい。
【００３１】
一方、スペクトラムアナライザ２０は、電磁界プローブ１１から信号線ＬＮ１を介して入力される計測信号を解析して、電磁界強度の周波数スペクトル（周波数毎の電磁界強度）を検出し、この周波数スペクトルを表す電磁界計測データを、信号線ＬＮ２を介して情報処理デバイス３０に入力するものである。
【００３２】
また、情報処理デバイス３０は、信号線ＬＮ２を介してスペクトラムアナライザ２０と接続され、信号線ＬＮ３を介してカメラ１３と接続され、信号線ＬＮ４を介して距離センサ１５と接続された構成にされる。情報処理デバイス３０は、このスペクトラムアナライザ２０、カメラ１３、及び、距離センサ１５からの入力信号に基づき、計測対象物体１００の各部位近傍における電磁界強度の分布を可視表示した画面を表示する。
【００３３】
この情報処理デバイス３０は、図２に示すように、メインユニット３１と、記憶ユニット３３と、入力ユニット３５と、操作ユニット３７と、表示ユニット３９と、を備える。
メインユニット３１は、情報処理デバイス３０全体を統括制御するものであり、ＣＰＵ３１Ａ及びＲＡＭ３１Ｂを備える。このメインユニット３１では、ＣＰＵ３１Ａが、ＲＡＭ３１Ｂを作業用メモリとして用いて、各種プログラムに従う処理を実行する。これにより、情報処理デバイス３０は統括制御される。ＣＰＵ３１Ａにより実行されるプログラムは、ハードディスク装置等で構成される記憶ユニット３３に記憶される。
【００３４】
一方、入力ユニット３５は、スペクトラムアナライザ２０から入力される上記電磁界計測データ、カメラ１３からの入力信号に対応する撮影画像データ、及び、距離センサ１５からの入力信号に対応する距離計測データを、ディジタルデータとしてメインユニット３１に入力するものである。ここで言う撮影画像データは、カメラ１３による撮影画像を表すデータのことであり、距離計測データは、距離センサ１５による距離の計測値を表すデータのことである。
【００３５】
また、操作ユニット３７は、キーボードやポインティングデバイス等から構成され、ユーザの操作を受けて、この操作内容を表す信号をメインユニット３１に入力する。この他、表示ユニット３９は、メインユニット３１に制御されて、各種画面をユーザに対して表示する。表示ユニット３９は、例えば、液晶ディスプレイにより構成される。
【００３６】
続いて、操作ユニット３７を介してユーザから実行指示が入力されると、メインユニット３１が実行する計測表示処理について、図３を用いて説明する。メインユニット３１は、計測表示処理を開始すると、計測対象物体１００の広域撮影画像データ、及び、電磁界強度の計測範囲を表す設定データを、記憶ユニット３３から読み出す（Ｓ１１０）。広域撮影画像データは、電磁界強度の計測時にカメラ１３により撮影される範囲よりも計測対象物体１００の広い範囲を撮影して得られた画像データのことである。
【００３７】
本実施例の計測システム１は、計測対象物体１００を遠方から撮影できないときでもカメラ１３及び電磁界プローブ１１を用いて計測対象物体１００での電磁界分布を高精度に特定し、これを表示できることを利点とするシステムであるが、この広域撮影画像データは、例えば、次のように生成される。
【００３８】
即ち、広域撮影画像データは、計測対象物体１００が狭い空間に配置される前や、計測対象物体１００を外部から覆う部材が計測対象物体１００の周囲に取り付けられる前に、ユーザが計測対象物体１００をカメラにより撮影することにより生成される。この他、広域撮影画像データは、計測対象物体１００上で小型カメラをスイープし、計測対象物体１００の各部位についての撮影画像データを、周知技術を用いて結合することによっても生成され得る。
【００３９】
また、上記設定データは、計測デバイス１０をスイープして電磁界強度を計測する計測対象物体１００の範囲（計測範囲）を、広域撮影画像上の範囲で定義するものである。この設定データは、電磁界強度の計測が全て完了したか否かを判断するために用いられる。
【００４０】
Ｓ１１０での処理を終えると、メインユニット３１は、Ｓ１２０に移行し、操作ユニット３７を介してユーザから終了指示が入力されているか否かを判断する。そして、終了指示が入力されていると判断すると（Ｓ１２０でＹｅｓ）、当該計測表示処理を終了する。
【００４１】
一方、終了指示が入力されていないと判断すると（Ｓ１２０でＮｏ）、設定データにより定義される計測範囲内の各点の電磁界強度の計測値（上記電磁界計測データ）を漏れなく取得できたか否かを判断する（Ｓ１３０）。そして、取得できたと判断すると（Ｓ１３０でＹｅｓ）、Ｓ１２０に移行し、取得できていないと判断すると（Ｓ１３０でＮｏ）、Ｓ１４０に移行する。
【００４２】
Ｓ１４０に移行すると、メインユニット３１は、この時点で距離センサ１５により計測された距離を表す距離計測データを、入力ユニット３５から取得する。そして、距離計測データが表す距離の計測値に基づき、計測対象物体１００から所定距離の地点に電磁界プローブ１１が位置しているか否かを判断する（Ｓ１５０）。具体的には、予め定められた距離から所定の誤差範囲内に、電磁界プローブ１１が位置しているか否かを判断する。
【００４３】
例えば、Ｓ１５０では、距離センサ１５により計測された距離を、電磁界プローブ１１の計測対象物体１００からの距離とみなして、上記判断を行う。この他、Ｓ１５０では、距離センサ１５により計測された距離の計測値に、距離センサ１５と電磁界プローブ１１との位置関係に応じた補正を加えた補正後の値に基づいて、上記判断を行ってもよい。所定距離の情報は、上記設定データに、計測範囲の情報と共に記述しておくことができる。所定距離としては、例えば、１ｃｍを一例に挙げることができる。
【００４４】
メインユニット３１は、計測対象物体１００から所定距離の地点に電磁界プローブ１１が位置していると判断すると（Ｓ１５０でＹｅｓ）、カメラ１３による現在の撮影画像を表す撮影画像データを、入力ユニット３５から取得する（Ｓ１６０）。更には、入力ユニット３５を介してスペクトラムアナライザ２０から、この地点で電磁界プローブ１１により計測された電磁界強度を表す上記電磁界計測データを取得する（Ｓ１７０）。
【００４５】
そして、Ｓ１６０で取得した撮影画像データが表す計測対象物体１００の撮影画像と、Ｓ１１０で記憶ユニット３３から読み出した広域撮影画像データが表す計測対象物体１００の広域撮影画像とを照合する。これにより、広域撮影画像における今回取得した撮影画像データに対応する計測対象物体１００の撮影部位を特定し、その撮影部位の特定点の位置座標を、今回の電磁界プローブ１１による電磁界強度の計測点の位置座標として特定する（Ｓ１８０）。
【００４６】
尚、撮影部位のどの点を計測点と取り扱うかは、カメラ１３と電磁界プローブ１１との位置関係による。Ｓ１８０では、例えば、撮影部位の中心座標を、計測点の位置座標として特定することができる。この場合には、例えば、カメラ１３による撮影画像の中心点が電磁界プローブ１１の計測点と一致するように、カメラ１３と電磁界プローブ１１との位置関係を調整する。
【００４７】
本実施例では、少なくともカメラ１３と電磁界プローブ１１との位置関係を、電磁界プローブ１１の計測点をカメラ１３が撮影するような位置関係に設定する。カメラ１３は、電磁界プローブ１１の計測点（計測領域）の、３倍程度の領域を撮影するように構成することができる。
【００４８】
Ｓ１８０での処理後、メインユニット３１は、上記特定した位置座標に対応する地点が電磁界マップデータに電磁界計測データが登録されていない未登録地点であるか否かを判断する（Ｓ１９０）。そして、未登録地点ではないと判断すると（Ｓ１９０でＮｏ）、Ｓ１２０に移行する。尚、電磁界マップデータは、広域撮影画像上の位置座標と、電磁界計測データとの対応関係を記憶するデータである。この電磁界マップデータは、計測表示処理の実行毎に生成され、ＲＡＭ３１Ｂに記憶される。
【００４９】
一方、肯定判断すると（Ｓ１９０でＹｅｓ）、メインユニット３１は、Ｓ２００に移行し、Ｓ１７０で取得した電磁界計測データを、広域撮影画像上の上記特定した計測点の位置座標と関連付けて、電磁界マップデータに登録する。
【００５０】
その後、メインユニット３１は、Ｓ１１０で読み出した広域撮影画像データ及び最新の電磁界マップデータに基づいて、表示ユニット３９が表示する画面の更新処理を行う（Ｓ２１０）。具体的には、更新後の画面として、広域撮影画像データに基づく計測対象物体１００の広域撮影画像上に、最新の電磁界マップデータに基づく指定周波数の電磁界分布を表す画像を重畳した画面を表示ユニット３９に表示させるように、表示ユニット３９に対する表示制御を行う。この処理により、最新の計測結果が反映された電磁界分布が、計測対象物体１００の広域撮影画像上に表示される。電磁界分布を表示する上記周波数の指定は、操作ユニット３７を介して予めユーザから受け付けておくことができる。
【００５１】
電磁界の分布は、電磁界マップデータから特定される広域撮影画像上の各点の電磁界強度に基づき、電磁界強度の同じ地点を線で結ぶことで、図４に示すように等高線により画像表現することができる。この他、メインユニット３１は、等高線の間を電磁界強度の大きさ（強弱）に応じた色調で塗り潰してなる半透明画像を、広域撮影画像上に重畳表示するように、表示ユニット３９を制御することができる。更に付言すれば、電磁界分布の画像表現は、電磁界強度の大きさを、色相、明度及び彩度の少なくとも一つにより表現することにより、実現することができる。
【００５２】
また、本実施例のＳ２１０では、電磁界強度が予め定められた閾値以上の領域を強調表示するように、表示ユニット３９の表示制御を行う。図４に示す例によれば、電磁界強度が閾値以上の領域とその外部領域との境界に位置する等高線を太線で表示することにより、この領域を強調表示している。但し、強調表示は、この領域を点滅表示したり、周囲とは不連続な色調で表示したりすること等によっても実現することができる。閾値については、計測システム１の設計者が任意に定めることができる。また、計測システム１は、閾値の指定を、操作ユニット３７を介してユーザから受け付ける構成にされてもよい。
【００５３】
また、画面上には、電磁界強度が閾値以上の領域において電磁ノイズ減衰用のクランプ式フィルタ１１０を設置することをユーザに促すメッセージを表示してもよい。図４には、クランプ式フィルタ１１０を設置することが好ましい領域を破線で囲んで、クランプ式フィルタ１１０の設置を促す画面の構成を示す。
【００５４】
Ｓ２１０での処理を終えると、メインユニット３１は、Ｓ１２０に移行する。そして、終了指示が入力されていない場合には（Ｓ１２０でＮｏ）、設定データにて定義される計測範囲内の各点での電磁界計測データが漏れなく得られるまで（換言すれば、各点での電磁界計測データが漏れなく電磁界マップデータに登録されるまで）、Ｓ１４０以降の処理を繰返し実行する。但し、計測対象物体１００から所定距離の地点に電磁界プローブ１１が位置していない場合には（Ｓ１５０でＮｏ）、Ｓ１６０〜Ｓ２１０の処理を実行せずに、Ｓ１２０に移行する。
【００５５】
このようにして、メインユニット３１は、図５に示すように、電磁界プローブ１１が計測対象物体１００の表面から所定距離の位置にあるときに、電磁界プローブ１１が計測した電磁界強度を表す上記電磁界計測データを収集し、この電磁界計測データに基づく上記指定周波数の電磁界分布を、表示ユニット３９に上記画面として表示させる。
【００５６】
そして、計測範囲内の各点での電磁界計測データが漏れなく得られると、表示ユニット３９による上記画面の表示を維持した状態で、操作ユニット３７から終了指示が入力されるまで待機し、終了指示が入力されると（Ｓ１２０でＹｅｓ）、当該計測表示処理を終了する。この計測表示処理は、終了時に電磁界計測データを含む上記電磁界マップデータを、記憶ユニット３３に保存する構成にされてもよい。
【００５７】
以上、本実施例の計測システム１について説明したが、この計測システム１によれば、電磁界プローブ１１と一体に保持されたカメラ１３を用いる。そして、このカメラ１３による撮影画像と計測対象物体１００の広域撮影画像との照合により、電磁界プローブ１１による電磁界強度の計測位置を特定する。
【００５８】
従って、この計測システム１によれば、電磁界プローブ１１を遠方からカメラにより撮影して電磁界強度の計測位置を特定する従来技術のように、カメラを電磁界プローブ１１から離して配置しなくても、カメラ１３を用いて、狭い空間内に配置された計測対象物体１００からの電磁界分布を高精度に特定し、これを画面上に表示することができる。従って、本実施例の計測システム１は、狭い空間に配置された計測対象物体１００の電磁界分布を特定し、これを表示するのに好適なシステムであると言える。特に、本実施例の計測システム１は、狭い空間に配置される車載部品（電子制御装置やワイヤーハーネス等）から発生する電磁ノイズの分布を検査するのに有益である。
【００５９】
また、本実施例によれば、電磁界プローブ１１及びカメラ１３に加えて、前方物体（計測対象物体１００）までの距離を計測する距離センサ１５を一体に保持するように計測デバイス１０を構成し、電磁界プローブ１１から計測対象物体１００までの距離が所定距離であるときに電磁界プローブ１１が計測した電磁界強度の計測値に基づく電磁界の分布を表す画面を、表示ユニット３９に表示させるようにした。
【００６０】
従って、本実施例によれば、電磁界プローブ１１から計測対象物体１００までの距離の変動を原因とする電磁界強度の変動による影響を抑えて、高精度に電磁界の分布を表示することができ、電磁ノイズの発生源等の情報を、適切に画面を通じてユーザに提供することができる。
【００６１】
また、本実施例によれば、電磁界強度の強弱を色調で表現して、電磁界分布を画面表示するようにしたので、ユーザに対して視覚的に分かり易く、電磁界分布の情報を提供することができる。特に、本実施例によれば、電磁界強度が閾値以上の領域を強調表示するので、ユーザにとっては、電磁ノイズの発生源の位置や、クランプ式フィルタ１１０を取り付けるべき位置等を容易に把握することが可能となる。
【００６２】
以上に説明した本実施例の電磁界プローブ１１は、計測ユニットの一例に対応し、カメラ１３は、撮影ユニットの一例に対応し、距離センサ１５は、測距ユニットの一例に対応する。また、メインユニット３１が実行するＳ１６０，Ｓ１７０によって実現される機能は、取得手段によって実現される機能の一例に対応し、メインユニット３１が実行するＳ１５０，Ｓ１８０，Ｓ２００，Ｓ２１０によって実現される機能は、表示制御手段によって実現される機能の一例に対応する。
【００６３】
ところで、本実施例では、計測対象物体１００の表面の凹凸を加味した当該表面から所定距離の地点での電磁界強度の計測結果に基づき、電磁界分布を画面上に表示するようにしたが、計測システム１は、図６に示すように、計測対象物体１００の特定面を基準にして、この基準面から所定距離での電磁界強度の計測結果を収集し、この計測結果に基づく電磁界分布を画面上に表示する構成にされてもよい。この場合には、広域撮影画像データを、計測対象物体１００の各部位の高さの情報を含む構成とし、この高さの情報に基づき、Ｓ１５０において、電磁界プローブ１１が基準面から所定距離の地点に位置しているか否かを判断すればよい。
【００６４】
［第二実施例］
続いて、第二実施例について説明する。但し、第二実施例の計測システム１は、メインユニット３１が実行する計測表示処理の内容が、第一実施例と異なる程度のものである。従って、以下では、第二実施例の説明として、第二実施例の計測表示処理の内容を選択的に説明する。
【００６５】
本実施例のメインユニット３１は、実行指示が入力されると、図３に示す計測表示処理に代えて、図７に示す計測表示処理を実行する。この計測表示処理を開始すると、メインユニット３１は、Ｓ１１０での処理と同様に、計測対象物体１００の広域撮影画像データ、及び、設定データを、記憶ユニット３３から読み出す（Ｓ３１０）。
【００６６】
その後、終了指示が入力された場合には（Ｓ３２０でＹｅｓ）、計測表示処理を終了する。一方、終了指示が入力されていない場合には（Ｓ３２０でＮｏ）、Ｓ１３０での処理と同様に、上記設定データにより定義される計測範囲内の各点の電磁界計測データを漏れなく取得できたか否かを判断する（Ｓ３３０）。そして、取得できたと判断すると（Ｓ３３０でＹｅｓ）、Ｓ３２０に移行し、取得できていないと判断すると（Ｓ３３０でＮｏ）、Ｓ３４０に移行する。
【００６７】
Ｓ３４０に移行すると、メインユニット３１は、カメラ１３による現在の撮影画像を表す撮影画像データを、入力ユニット３５から取得する。更には、入力ユニット３５を介してスペクトラムアナライザ２０から、電磁界プローブ１１により計測された電磁界強度を表す上記電磁界計測データを取得する（Ｓ３５０）。
【００６８】
その後、メインユニット３１は、Ｓ３４０で取得した撮影画像データが表す計測対象物体１００の撮影画像と、広域撮影画像データが表す計測対象物体１００の広域撮影画像とを照合する。これにより、広域撮影画像における今回取得した撮影画像データに対応する計測対象物体１００の撮影部位を特定し、その撮影部位の特定点の位置座標を、今回の電磁界プローブ１１による電磁界強度の計測点の位置座標として特定する（Ｓ３６０）。即ち、第一実施例のＳ１８０と同様の処理を行う。
【００６９】
更に、本実施例では、上記照合により、電磁界プローブ１１の計測対象物体１００からの距離を推定する（Ｓ３７０）。即ち、本実施例では、距離センサ１５を用いずに、画像解析により、電磁界プローブ１１の計測対象物体１００からの距離を推定する。このような距離推定を行うことから、本実施例において、距離センサ１５は不要である。
【００７０】
カメラ画像から被写体（計測対象物体１００）までの距離を推定する技術は周知であるので、その推定方法について簡単に説明するが、距離推定は、例えば、広域撮影画像データを生成したカメラと被写体との間の距離、このカメラの光学特性、今回取得した撮影画像データを生成したカメラ１３の光学特性の情報を用いて実現することができる。
【００７１】
これらの情報と、広域撮影画像及び今回の撮影画像の両者に映る同一物のサイズ比とから、今回の撮影画像における被写体とカメラ１３との間の距離を算出し、算出した距離及びカメラ１３と電磁界プローブ１１との位置関係から、所定の演算式により、電磁界プローブ１１の計測対象物体１００からの距離を推定するといった具合である。距離推定に必要な光学特性等の情報は、記憶ユニット３３に予め記憶させておき、これを読み出すことにより、Ｓ３７０で用いることができる。
【００７２】
Ｓ３７０での距離推定を終えると、メインユニット３１は、推定された距離に基づいて、Ｓ１５０と同様の処理を行う（Ｓ３８０）。即ち、Ｓ３７０で推定された距離に基づいて、計測対象物体１００から所定距離の地点に電磁界プローブ１１が位置しているか否かを判断する（Ｓ３８０）。そして、計測対象物体１００から所定距離の地点に電磁界プローブ１１が位置していると判断すると（Ｓ３８０でＹｅｓ）、Ｓ３９０に移行し、否定判断すると（Ｓ３８０でＮｏ）、Ｓ３２０に移行する。
【００７３】
Ｓ３９０に移行すると、メインユニット３１は、Ｓ１９０での処理と同様に、Ｓ３６０で特定した位置座標に対応する地点が電磁界計測データの未登録地点であるか否かを判断する。そして、未登録地点ではないと判断すると（Ｓ３９０でＮｏ）、Ｓ３２０に移行する。
【００７４】
一方、未登録地点であると判断すると（Ｓ３９０でＹｅｓ）、メインユニット３１は、Ｓ２００，Ｓ２１０での処理と同様に、Ｓ４００，Ｓ４１０の処理を行う。即ち、Ｓ３５０で取得した電磁界計測データを計測点の位置座標と関連付けて、電磁界マップデータに登録し（Ｓ４００）、広域撮影画像データ及び最新の電磁界マップデータに基づき、表示ユニット３９が表示する画面の更新を行う（Ｓ４１０）。その後、Ｓ３２０に移行する。
【００７５】
このようにして、メインユニット３１は、図６に示すように、電磁界プローブ１１が計測対象物体１００の基準面から所定距離の位置にあるときに、電磁界プローブ１１が計測した電磁界強度を表す上記電磁界計測データを収集し、この電磁界計測データに基づく上記指定周波数の電磁界の分布（図４参照）を、表示ユニット３９に表示させる。
【００７６】
以上、本実施例の計測システム１について説明したが、本実施例によれば、カメラ１３から得られる撮影画像データに基づき、計測対象物体１００までの距離を推定するようにした。そして、計測対象物体１００までの距離の推定値が所定条件を満足するときに電磁界プローブ１１が計測した電磁界強度の計測値に基づく電磁界の分布を表す画面を、表示ユニット３９に表示させるようにした。従って、本実施例によれば、距離センサ１５を計測デバイス１０に設けなくとも、第一実施例の計測システム１と同様の機能を実現することができる。
【００７７】
尚、本実施例のメインユニット３１が実行するＳ３４０，Ｓ３５０によって実現される機能は、取得手段によって実現される機能の一例に対応し、メインユニット３１が実行するＳ３６０，Ｓ３８０，Ｓ４００，Ｓ４１０によって実現される機能は、表示制御手段によって実現される機能の一例に対応する。また、メインユニット３１が実行するＳ３７０によって実現される機能は、推定手段によって実現される機能の一例に対応する。
【００７８】
［第三実施例］
続いて、第三実施例について説明する。但し、以下では、第三実施例の計測システム１の説明として、第一実施例とは異なる構成の説明を選択的にする。
【００７９】
本実施例の計測システム１は、次の点で、第一実施例とは異なる。第一の相違点は、図２破線で示すように、計測デバイス１０に、計測指示用の操作スイッチ１７が設けられていることである。操作スイッチ１７のオン／オフ信号は、信号線ＬＮ５及び入力ユニット３５を介して、情報処理デバイス３０のメインユニット３１に入力される。
【００８０】
第二の相違点は、メインユニット３１が、操作ユニット３７を介して実行指示が入力されると、図３に示す計測表示処理に代えて、図８に示す計測表示処理を実行する構成にされていることである。
【００８１】
この計測表示処理では、操作スイッチ１７からオン信号が入力されている期間には、ユーザから計測指示が入力されているとみなして、電磁界プローブ１１による計測結果としての電磁界計測データの電磁界マップデータへの登録を行う。一方、操作スイッチ１７からオフ信号が入力されている期間には、電磁界計測データの登録を行わないようにする。この処理によって、ユーザが操作スイッチ１７を押下操作した状態で計測デバイス１０をスイープしている期間の電磁界計測データを収集する。
【００８２】
尚、本実施例では、ハンディタイプの計測デバイス１０をユーザが手で持って、これを計測対象物体１００上でスイープさせる使用形態を想定している。この際には、ユーザが自由に計測デバイス１０を動かすことができるので、適切な電磁界強度の計測を行うことができるように、表示ユニット３９を介した情報表示によってユーザを支援する。
【００８３】
メインユニット３１は、図８に示す計測表示処理を開始すると、操作スイッチ１７からのオン／オフ信号に基づき、計測指示が入力されているか否かを判断する（Ｓ５１０）。そして、計測指示が入力されていないと判断すると（Ｓ５１０でＮｏ）、操作ユニット３７を介してユーザから終了指示が入力されているか否かを判断し（Ｓ５２０）、終了指示が入力されていないと判断すると（Ｓ５２０でＮｏ）、Ｓ５１０に移行する。一方、終了指示が入力されていると判断すると（Ｓ５２０でＹｅｓ）、当該計測表示処理を終了する。
【００８４】
計測指示が入力されていると判断すると（Ｓ５１０でＹｅｓ）、メインユニット３１は、Ｓ１４０での処理と同様に、距離センサ１５から距離計測データを取得し（Ｓ５４０）、この距離計測データに基づき、Ｓ１５０での処理と同様に、計測対象物体１００から所定距離の地点に電磁界プローブ１１が位置しているか否かを判断する（Ｓ５５０）。ここで、否定判断すると（Ｓ５５０でＮｏ）、Ｓ５１０に移行する。一方、肯定判断すると（Ｓ５５０でＹｅｓ）、Ｓ１６０，Ｓ１７０での処理と同様に、今回の撮影画像データ及び電磁界計測データを取得した後（Ｓ５６０，Ｓ５７０）、Ｓ５８０に移行する。
【００８５】
Ｓ５８０に移行すると、メインユニット３１は、Ｓ５６０で取得した撮影画像データを、計測表示処理の実行開始後、これまでに取得した撮影画像データの一群と結合して、結合画像データを生成する。結合画像データは、各撮影画像データが表す撮影画像において重複する被写体（計測対象物体１００）の撮影部位を検出し、重複する部位を一つにまとめるように、各撮影画像を結合してなる結合画像を表すものである。結合画像を生成する技術は、例えば、複数の撮影画像から、これらを結合したパノラマ画像を生成する技術等で知られているように、周知である。本実施例においても、このような周知技術を用いて、結合画像データを生成することができる。
【００８６】
このようにして、本実施例では、第一及び第二実施例のように記憶ユニット３３から広域撮影画像データを読み込む代わりに、複数の撮影画像データを結合して、広域撮影画像データとしての結合画像データを生成する。
【００８７】
但し、Ｓ５６０で取得した撮影画像データが、これまでに取得した他の撮影画像データと重複する撮影部位を含まない孤立した撮影画像データである場合には、取得した撮影画像データを、これまでに取得した他の撮影画像データと結合することができない。従って、今回取得した撮影画像データが孤立した撮影画像データであり、これを他の撮影画像データと結合することができなかった場合には（Ｓ５９０でＹｅｓ）、今回取得した撮影画像データ及び併せてＳ５７０で取得した電磁界計測データを破棄して、Ｓ５１０に移行する。
【００８８】
一方、今回取得した撮影画像データを用いて新たな結合画像データを生成することができた場合には（Ｓ５９０でＮｏ）、Ｓ５６０で取得した撮影画像データを破棄せずにＲＡＭ３１Ｂに保持しつつ、Ｓ５７０で取得した電磁界計測データを、結合画像上の計測点の位置座標と関連付けて、電磁界マップデータに登録する（Ｓ６００）。
【００８９】
Ｓ６００では、結合画像データの生成時に特定される今回取得した撮影画像データに対応する結合画像上の撮影部位の、特定点の位置座標を、Ｓ１８０での処理と同様に、今回の電磁界プローブ１１による電磁界強度の計測点の位置座標として特定する。そして、この位置座標と関連付けて、Ｓ５７０で取得した電磁界計測データを、電磁界マップデータに登録する。
【００９０】
この処理を終えると、メインユニット３１は、Ｓ５８０で生成した結合画像データ及び最新の電磁界マップデータに基づいて、表示ユニット３９が表示する画面の更新を行う（Ｓ６１０）。具体的には、更新後の画面として、計測対象物体１００の広域撮影画像である最新の結合画像上に、最新の電磁界マップデータに基づく指定周波数の電磁界分布を表す画像を重畳した画面を表示ユニット３９に表示させるように、表示ユニット３９に対する表示制御を行う。
【００９１】
併せて、メインユニット３１は、結合画像における電磁界強度の未計測領域、即ち、電磁界計測データが電磁界マップデータに登録されていない領域が強調表示されるように、表示ユニット３９に対する表示制御を行う（Ｓ６２０）。
【００９２】
図９には、結合画像上に電磁界分布を表す画像として等高線を重畳表示した画面であって、未計測領域を強調表示した画面の構成例を示す。未計測領域は、図９においてハッチングが施された領域である。未計測領域の強調表示は、例えば、未計測領域を、周囲の色調とは大きな差異のある色調にてカラー表示することにより実現することができる。この他、未計測領域を点滅表示することにより、強調表示は実現されてもよい。
【００９３】
付言すると、図９でハッチング領域により示す未計測領域の内、計測対象物体１００を表す結合画像が透けて見える領域は、カメラ１３により撮影された領域であるが電磁界計測データが登録されていない領域であり、未計測領域中心部の領域は、電磁界計測データが登録されておらず、更にカメラ１３により撮影されてもいない領域である。
【００９４】
本実施例では、このようにして、計測済領域に囲まれた未計測領域を強調表示してなる画面を表示ユニット３９に表示させる。メインユニット３１は、このような画面更新を行うと（Ｓ６１０，Ｓ６２０）、Ｓ５１０に移行する。そして、後続の処理を実行する。
【００９５】
このようにして、メインユニット３１は、計測対象物体１００から所定距離の地点に電磁界プローブ１１が位置しているときのカメラ１３の撮影画像を結合してなる結合画像上に、電磁界分布を表す画像を、未計測領域を強調表示しつつ表示するように、表示ユニット３９を制御し、操作ユニット３７を介してユーザから終了指示が入力されると、計測表示処理を終了する。
【００９６】
以上、本実施例の計測システム１について説明したが、本実施例によれば、カメラ１３による複数の撮影画像を結合した結合画像を生成することによって、第一及び第二実施例における広域撮影画像に対応する画像を生成するようにした。そして、結合画像の生成時に、撮影画像データの結合画像上の撮影部位を特定し、電磁界プローブ１１の結合画像上の計測点を特定するようにした。
【００９７】
従って、本実施例の計測システム１によれば、ユーザの作業を介して、予め電磁界強度の計測時に撮影される計測対象物体１００の各部位が撮影された広域撮影画像データを記憶ユニット３３に記憶させておかなくても済む。即ち、本実施例によれば、広域撮影画像データをユーザに用意させずとも、電磁界プローブ１１の計測位置を特定して、高精度な電磁界分布を画面上に表示することができる。
【００９８】
また、本実施例によれば、ユーザが計測デバイス１０を手に持って、計測デバイス１０を計測対象物体１００上で自由に動かす程度で、計測対象物体１００上の電磁界分布を表示できるようにした。更に、計測デバイス１０のスイープが手作業で行われると、電磁界強度の計測漏れが生じやすくなることに鑑み、電磁界分布を表す画面において、電磁界強度の未計測領域を強調表示するようにした。
【００９９】
従って、本実施例によれば、ユーザの手作業による計測デバイス１０のスイープを支援することができ、ユーザが計測を希望する計測対象物体１００の各部位の電磁界強度を漏れなく計測し、この計測結果に基づく適切な電磁界分布を表示ユニット３９の画面上に表示することができる。よって、本実施例によれば、利便性の高い計測システム１をユーザに提供することができる。
【０１００】
尚、本実施例のメインユニット３１が実行するＳ５６０，Ｓ５７０によって実現される機能は、取得手段によって実現される機能の一例に対応し、メインユニット３１が実行するＳ５５０，Ｓ５８０，Ｓ６００，Ｓ６１０，Ｓ６２０によって実現される機能は、表示制御手段によって実現される機能の一例に対応する。
【０１０１】
［他の実施例］
以上に、第一実施例から第三実施例の計測システム１について説明したが、本発明は、上記実施例に限定されるものではなく、種々の態様を採ることができる。
【０１０２】
例えば、上記実施例では、計測対象物体１００から所定距離の地点に電磁界プローブ１１が位置しているときの電磁界計測データを収集したが、この所定距離としては、複数の値を設定することができる。例えば、計測対象物体１００から１ｃｍ／２ｃｍ／３ｃｍ離れた位置に電磁界プローブ１１が位置しているときの電磁界計測データを収集すれば、電磁界分布を画面上において三次元表示することも可能である。
【０１０３】
また、第三実施例において未計測領域を強調表示する思想は、第一実施例及び第二実施例にも適用可能である。
この他、以上には、電磁界分布として、電磁界強度の等高線を表示する例を挙げたが、例えば、電磁界強度が基準値以上の領域又は電磁界強度が基準値未満の領域のみを表示することによって、電磁界分布を画面上で画像表現してもよい。
【符号の説明】
【０１０４】
１…計測システム、１０…計測デバイス、１１…電磁界プローブ、１３…カメラ、１５…距離センサ、１７…操作スイッチ、２０…スペクトラムアナライザ、３０…情報処理デバイス、３１…メインユニット、３１Ａ…ＣＰＵ、３１Ｂ…ＲＡＭ、３３…記憶ユニット、３５…入力ユニット、３７…操作ユニット、３９…表示ユニット、１００…計測対象物体、１１０…クランプ式フィルタ、ＡＲ…アーム、ＬＮ１〜ＬＮ５…信号線
【図１】
2014095629.tif 000003
【図２】
2014095629.tif 000004
【図３】
2014095629.tif 000005
【図４】
2014095629.tif 000006
【図５】
2014095629.tif 000007
【図６】
2014095629.tif 000008
【図７】
2014095629.tif 000009
【図８】
2014095629.tif 000010
【図９】
2014095629.tif 000011